(57)【要約】【課題】ユニット構造で全体形状などが可変自在な商品陳列システムの構成の検討を支援できる構造の陳列シミュレータを提供する。【解決手段】商品陳列システムの本体ユニットの前面形状を所定の縮尺で模した平板状の複数のユニット模型８１０、同一の縮尺で人間を模した人間模型８５０、これらの模型８１０，８５０が着脱自在に装着されるレイアウト台紙８６０、を有する。レイアウト台紙８６０にユニット模型８１０を配列することにより、商品陳列システムの全体形状などを検討することができる。特に、ユニット模型８１０と同一の縮尺の人間模型８５０もレイアウト台紙８６０に装着することができるので、フレームユニット３００の上下高が過剰でないかなども確認することができる。【選択図】図１
2008080067.tif 000002
【特許請求の範囲】
【請求項１】
上下方向に連結されて左右方向に配列される複数の本体ユニットを有する商品陳列システムの構成を検討するための陳列シミュレータであって、
前記本体ユニットの前面形状を所定の縮尺で模した平板状の複数のユニット模型と、
前記ユニット模型と同一の縮尺で人間の前面形状を模した平板状の人間模型と、
複数の前記ユニット模型がレイアウトされて着脱自在に装着されるとともに前記人間模型が着脱自在に装着されるレイアウト台紙と、
を有する陳列シミュレータ。
【請求項２】
前記ユニット模型と同一の縮尺で前記商品陳列システムが設置されるカウンタの前面形状を模した平板状のカウンタ模型を、さらに有する請求項１に記載の陳列シミュレータ。
【請求項３】
前記商品陳列システムが、上下左右に配列されて上面に前記本体ユニットが設置される複数のストッカユニットを、さらに有し、
前記ユニット模型と同一の縮尺で前記ストッカユニットの前面形状を模した平板状のストッカ模型を、さらに有する請求項１または２に記載の陳列シミュレータ。
【請求項４】
前記人間模型は、前記人間の上肢を模した上肢部品が前記人間の肩部に相当する位置に回動自在に装着されている請求項１ないし３の何れか一項に記載の陳列シミュレータ。
【請求項５】
前記模型と前記レイアウト台紙とが磁性体を有し、
前記模型と前記レイアウト台紙との少なくとも一方が着磁されている請求項１ないし４の何れか一項に記載の陳列シミュレータ。
【請求項６】
前記商品陳列システムは前記本体ユニットに複数種類の使用状態があり、
前記ユニット模型として複数種類の前記使用状態に対応した図柄が表記されている複数種類がある請求項１ないし５の何れか一項に記載の陳列シミュレータ。
【請求項７】
販売されるタバコパックを陳列するための商品陳列システムであって、
上下方向に連結されて左右方向に配列される複数の本体ユニットと、
請求項１ないし６の何れか一項に記載の陳列シミュレータと、
を有する商品陳列システム。
【請求項８】
前後方向に細長い上面開口のボックス状に形成されていて前後方向に配列された複数の前記タバコパックを保持する形状の複数のマガジンユニットと、
上面開口のボックス状に形成されていて左右方向に配列された複数の前記マガジンユニットを着脱自在に保持する形状の複数のトレーユニットと、
前面開口のボックス状に形成されていて上下方向に離間した配置で複数の前記トレーユニットを着脱自在に保持する形状の複数の前記本体ユニットと、
複数の前記本体ユニットを上下方向に連結する上下連結機構と、
を有する請求項７に記載の商品陳列システム。
【請求項９】
前後方向に細長い上面開口のボックス状に形成されていて前後方向に配列された複数の前記タバコパックを保持する形状の複数のマガジンユニットと、
上面開口のボックス状に形成されていて左右方向に配列された複数の前記マガジンユニットを着脱自在に保持する形状の複数のトレーユニットと、
前後方向に扁平な平板状に形成されていて前面に所定形状の凹凸が形成されている複数の前記本体ユニットと、
複数の前記本体ユニットを上下方向に連結する上下連結機構と、
前記本体ユニットの前記凹凸に着脱自在に係合する係合機構と前記トレーユニットを着脱自在に保持する支持フレームとを有する複数のトレーアタッチメントと、
を有する請求項７に記載の商品陳列システム。
【発明の詳細な説明】
【技術分野】
【０００１】
本発明は、商品陳列システムの構成を検討するための陳列シミュレータに関し、特に、上下方向に連結されて左右方向に配列される複数の本体ユニットを有する商品陳列システムの構成を検討するための陳列シミュレータに関する。
【背景技術】
【０００２】
現在、いわゆるコンビニエンスストアなどの店舗では、例えば、商品としてタバコパックを陳列して販売している。なお、ここで云うタバコパックとは、実際に喫煙される紙巻タバコではなく、複数の紙巻タバコを収容している直方体状のパッケージを意味している。
【０００３】
そこで、タバコパックを陳列する商品陳列システムは、例えば、複数のマガジンユニットと一個のシステムフレームからなる。マガジンユニットは、例えば、無色透明な樹脂により、前後方向に細長い上面開口のボックス状に形成されている。マガジンユニットは、立設された状態のタバコパックが前後方向に配列された状態で上方から収容される。
【０００４】
システムフレームは、複数のマガジンユニットを上下左右に配列して保持する。このため、従来の商品陳列システムは、タバコパックを上下左右に配列して陳列することができる。
【特許文献１】特開平１０−１５１０４７号公報
【発明の開示】
【発明が解決しようとする課題】
【０００５】
商品の販売促進を図る上で、魅力ある売場づくりの追求は欠かせない要素となる。売場づくりを考えるにあたっては、種々の要素を考慮する必要があるが、特に商品を陳列する場所の大きさは、重要な因子となる。
【０００６】
商品の売場として、従来は、ショッピングモール、量販店等の広大な売場が主流であったが、近年では、流通形態の変化により、コンビニエンスストアのような狭小な売場が大幅に増加してきている。
【０００７】
こうした狭小な売場においては、限られたスペースで如何に最大の顧客訴求効果を得るかが、販売戦略上の最重要テーマとなる。しかしながら、従来、こうした狭小な売場において、優れた顧客訴求効果の得られる売場づくりは、あまり充分に検討されることはなかった。
【０００８】
その理由の一つは、事前にシミュレーションを行うための有効なツールがなかったことによる。商品陳列システムや商品棚などの配置を検討する際、通常、店舗の平面図を用いられる。しかしながら、これでは実際の売場のイメージを想定して事前シミュレーションを行うことは困難であった。
【０００９】
また、店舗に導入される商品陳列システムは定型のものが多く、売場づくりの工夫をするにも限界があった。特に、コンビニエンスストアのような狭小な売場では、商品陳列システムを設置するスペースを確保するのが精一杯である上、短時間で設置作業を完了させることが求められるため、顧客訴求効果および売場づくりへの寄与といった観点から商品陳列システムが開発された例はほとんどなかった。
【００１０】
こうした中、顧客訴求における競争優位性の確保のためには、従来の定型的な商品陳列システムに代え、売場づくりに寄与する商品陳列システムを開発するとともに、こうした商品陳列システムを活用しつつ、売場づくりを事前にシミュレーションし、「顧客の視点から見た売場づくり」を実践することが、重要となる。
【００１１】
本発明は上述のような課題に鑑みてなされたものであり、商品陳列システムを簡単に様々にシミュレーションすることができる構造の陳列シミュレータを提供するものである。
【課題を解決するための手段】
【００１２】
本発明の陳列シミュレータは、上下方向に連結されて左右方向に配列される複数の本体ユニットを有する商品陳列システムの構成を検討するための陳列シミュレータであって、本体ユニットの前面形状を所定の縮尺で模した平板状の複数のユニット模型と、ユニット模型と同一の縮尺で人間の前面形状を模した平板状の人間模型と、複数のユニット模型がレイアウトされて着脱自在に装着されるとともに人間模型が着脱自在に装着されるレイアウト台紙と、を有する。
【００１３】
従って、本発明の陳列シミュレータでは、レイアウト台紙にユニット模型を配列することにより、本体ユニットを上下左右に配列して形成する商品陳列システムの全体形状などを検討することができる。特に、ユニット模型と同一の縮尺の人間模型もレイアウト台紙に装着することができるので、本体ユニットの上下高が過剰でないかなども確認することができる。従って、顧客の視点から見た売場づくりを支援することができる。
【００１４】
本発明の商品陳列システムは、販売されるタバコパックを陳列するための商品陳列システムであって、上下方向に連結されて左右方向に配列される複数の本体ユニットと、本発明の陳列シミュレータと、を有する。
【００１５】
従って、本発明の商品陳列システムでは、例えば、陳列シミュレータにより確認されたレイアウトなどに対応して、本体ユニットを上下左右に配列するようなことができる。従って、顧客の視点から見た売場づくりを実施することができる。
【００１６】
なお、本発明では上下以外に前後左右の方向も規定しているが、これは本発明の構成要素の相対関係を簡単に説明するために便宜的に規定したものであり、本発明を実施する場合の製造時や使用時の方向を限定するものではない。
【００１７】
また、本発明の各種の構成要素は、必ずしも個々に独立した存在である必要はなく、複数の構成要素が一個の部材として形成されていること、一つの構成要素が複数の部材で形成されていること、ある構成要素が他の構成要素の一部であること、ある構成要素の一部と他の構成要素の一部とが重複していること、等でもよい。
【発明の効果】
【００１８】
本発明の陳列シミュレータでは、レイアウト台紙にユニット模型を配列することにより、本体ユニットを上下左右に配列して形成する商品陳列システムの全体形状などを検討することができる。特に、ユニット模型と同一の縮尺の人間模型もレイアウト台紙に装着することができるので、本体ユニットの上下高が過剰でないかなども確認することができる。このため、ユニット構造の商品陳列システムの構成の検討を簡単かつ確実に支援することができ、顧客の視点から見た売場づくりを支援することができる。
【発明を実施するための最良の形態】
【００１９】
本発明の実施の一形態を図面を参照して以下に説明する。本実施の形態の陳列シミュレータ８００ａは、上下方向に連結されて左右方向に配列される複数の本体ユニットであるフレームユニット３００を有する商品陳列システム１０００の構成を検討するために利用される。
【００２０】
このため、陳列シミュレータ８００ａは、図１ないし図７に示すように、フレームユニット３００の前面形状を所定の縮尺で模した平板状の複数のユニット模型８１０と、ユニット模型８１０と同一の縮尺で人間の前面形状を模した平板状の人間模型８５０と、複数のユニット模型８１０がレイアウトされて着脱自在に装着されるとともに人間模型８５０が着脱自在に装着されるレイアウト台紙８６０と、を有する。
【００２１】
商品陳列システム１０００は、図９に示すように、前後方向に細長い上面開口のボックス状に形成されていて前後方向に配列された複数のタバコパックＴを保持する形状の複数のマガジンユニット１００と、上面開口のボックス状に形成されていて左右方向に配列された複数のマガジンユニット１００を着脱自在に保持する形状の複数のトレーユニット２００と、前面開口のボックス状に形成されていて上下方向に離間した配置で複数のトレーユニット２００を着脱自在に保持する形状の複数のフレームユニット３００と、複数のフレームユニット３００を上下方向に連結する上下連結機構と、を有する。
【００２２】
商品陳列システム１０００は、商品であるタバコパックＴ、複数のタバコパックＴがパックされた商品であるタバコカートンＫ、タバコパックＴがオマケとともにパックされた商品であるキャンペーンパックＰ、等を陳列する。なお、このキャンペーンパックＰは、例えば、厚紙で形成された簡易什器Ｆとともに店舗に提供される。
【００２３】
現在、タバコパックＴは、上下高に多少の高低はあるものの、一般的に前後長と左右幅が共通した直方体状に形成されている。そして、本実施の形態では、タバコパックＴの最大面を前面および後面、最小面を上面および下面、と規定する。
【００２４】
なお、一般的にタバコパックＴは前面(および後面)に銘柄などが表記されている。このため、その前面が前方に位置する適正な方向の状態で陳列されることが好ましい。そして、マガジンユニット１００は、図１０に示すように、上述のように方向が適正な状態の複数のタバコパックＴを前後方向に配列した状態で収容する。
【００２５】
トレーユニット２００も、上面が開口したボックス状に無色透明な樹脂で形成されている。トレーユニット２００には、複数のマガジンユニット１００が左右方向に配列された状態でトレーユニット２００に収容される。
【００２６】
ただし、本実施の形態の商品陳列システム１０００では、図９に示すように、マガジンユニット１００を五個収容する幅広のトレーユニット２００と三個収容する幅狭のトレーユニット２００とがある。
【００２７】
フレームユニット３００は、図１０に示すように、一対の本体フレーム３１０と複数の支持フレーム３２０からなる。本体フレーム３１０は、前面形状が矩形の枠状となるように曲折された金属の板材からなり、一対が前後方向に配列されている。
【００２８】
支持フレーム３２０は、トレーユニット２００を支持する前後方向に細長いレール状に形成された金属の板材からなり、複数が上下方向に配列されて一対の本体フレーム３１０の内側面に接合されている。
【００２９】
ただし、トレーユニット２００は、前述のように二種類の左右幅がある。そこで、本実施の形態の商品陳列システム１０００では、図９に示すように、左右幅が大きいトレーユニット２００を三個保持するフレームユニット３００、左右幅が大きいトレーユニット２００を二個保持するフレームユニット３００、左右幅が小さいトレーユニット２００を三個保持するフレームユニット３００、左右幅が小さいトレーユニット２００を二個保持するフレームユニット３００、がある。
【００３０】
なお、フレームユニット３００は、本体フレーム３１０の上面両側と下面両側とに、上下連結機構となる面ファスナ３１１が装着されている。また、本体フレーム３１０の下面中央には、フレーム凹部となるフレーム貫通孔(図示せず)が形成されている。本体フレーム３１０の上面中央には、フレーム凸部となる凸部材３１４が装着されている。
【００３１】
そこで、本実施の形態の商品陳列システム１０００では、図９に示すように、横幅が同一の複数のフレームユニット３００を上下方向に設置すると、その複数のフレームユニット３００が面ファスナ３１１により連結される。このとき、フレーム貫通孔と凸部材３１４とが係合する。
【００３２】
上述のような商品陳列システム１０００は、通常は店舗のカウンタ(図示せず)上に設置される。しかし、カウンタがない場所への設置のため、商品陳列システム１０００は、図１１に示すように、さらにストッカユニット４００やテーブルユニット４１０も有する。
【００３３】
ストッカユニット４００は、少なくとも上面が平坦で前面が開閉自在なボックス状に形成されている。テーブルユニット４１０は、上面が平坦で上下方向に扁平なボックス状に形成されている。
【００３４】
テーブルユニット４１０は、ユニットボックス４１１にテーブル部材４１２が前後方向にスライド自在に収容されている。このため、テーブル部材４１２を前方に突出させて作業に利用することができる。
【００３５】
そして、前述のようにフレームユニット３００は左右幅が二種類なので、上述のストッカユニット４００とテーブルユニット４１０とは、フレームユニット３００に対応した二種類の左右幅に形成されている。このため、使用するフレームユニット３００に対応してストッカユニット４００やテーブルユニット４１０も組み合わせることができる。
【００３６】
さらに、前述のようにトレーユニット２００は前後長が二種類なので、上述のストッカユニット４００とテーブルユニット４１０とは、前後長が最大のトレーユニット２００に対応した前後長に形成されている。
【００３７】
従って、何れのトレーユニット２００を利用する場合にも、トレーユニット２００がストッカユニット４００より外側に突出するようなことがない。上述のようなストッカユニット４００を利用することにより、カウンタ(図示せず)などがない場所にも、商品陳列システム１０００を適正な状態に設置することができる。
【００３８】
そして、上述のような商品陳列システム１０００の構成の検討に利用される陳列シミュレータ８００ａは、図１に示すように、前述した複数のユニット模型８１０と人間模型８５０とレイアウト台紙８６０の他、図１および図３に示すように、ユニット模型８１０と同一の縮尺で商品陳列システム１０００が設置されるカウンタの前面形状を模したカウンタ模型８２０、図１および図４に示すように、ユニット模型８１０と同一の縮尺でストッカユニット４００の前面形状を模した複数のストッカ模型８３０、図１および図５に示すように、同一の縮尺でテーブルユニット４１０の前面形状を模した複数のテーブル模型８４０を、さらに有する。
【００３９】
なお、商品陳列システム１０００は、図９ないし図１１に示すように、基本的にはフレームユニット３００に装着したトレーユニット２００にマガジンユニット１００を装着し、そこにタバコパックＴを収容する。
【００４０】
このため、フレームユニット３００の前面形状を模したユニット模型８１０は、図２に示すように、タバコパックＴがマガジンユニット１００により左右に五列に収容されたトレーユニット２００が上下に三段に装着された使用状態のユニット模型８１０ａ、タバコパックＴがマガジンユニット１００により左右に五列に収容されたトレーユニット２００が上下に二段に装着された使用状態のユニット模型８１０ｂ、タバコパックＴがマガジンユニット１００により左右に三列に収容されたトレーユニット２００が上下に三段に装着された使用状態のユニット模型８１０ｃ、タバコパックＴがマガジンユニット１００により左右に三列に収容されたトレーユニット２００が上下に二段に装着された使用状態のユニット模型８１０ｄ、として形成されている。
【００４１】
また、前述のようにストッカユニット４００にも二種類の左右幅と二種類の上下高との組み合わせの四種類がある。このため、ストッカ模型８３０も、図４に示すように、二種類の左右幅と二種類の上下高との組み合わせの四種類のストッカ模型８３０ａ〜８３０ｄがある。
【００４２】
同様に、テーブルユニット４１０も二種類の左右幅があるため、図５に示すように、テーブル模型８４０も、図５に示すように、二種類の左右幅のテーブル模型８４０ａ，８４０ｂがある。
【００４３】
なお、商品陳列システム１０００は、前述のようにフレームユニット３００にトレーユニット２００で装着したマガジンユニット１００にタバコパックＴを収容する他、図９ないし図１１に示すように、フレームユニット３００に装着したトレーユニット２００にタバコカートンＫを長手方向が前後方向の状態や左右方向の状態で収容することもできる。
【００４４】
つまり、商品陳列システム１０００は、フレームユニット３００に複数種類の使用状態がある。そこで、陳列シミュレータ８００ａは、図２および図６に示すように、複数種類の使用状態に対応した図柄が表記されている複数種類のユニット模型８１０ａ〜８１０ｆもある。
【００４５】
さらに、商品陳列システム１０００は、図９および図１１に示すように、フレームユニット３００やトレーユニット２００にキャンペーンパックＰの簡易什器Ｆなどを直接に載置することもできる。
【００４６】
また、商品陳列システム１０００は、図１２に示すように、フレームユニット３００に着脱自在に装着されるメッシュユニット４５０でキャンペーンパックＰなどを陳列することもできる。
【００４７】
そこで、商品陳列システム１０００は、図７(ａ)に示すように、上述の簡易什器Ｆを模したユニット模型８１０ｇ、図７(ｂ)に示すように、メッシュユニット４５０を模したユニット模型８１０ｈ、もある。
【００４８】
また、前述した人間模型８５０は、図８に示すように、人間の全身を模した本体部品８５１と上肢を模した一対の上肢部品８５２からなる。この上肢部品８５２は、人間の肩部に相当する位置で本体部品８５１に回動自在に装着されている。
【００４９】
レイアウト台紙８６０は磁性体である磁性シートで形成されており、模型８１０〜８５０は着磁された磁性体であるマグネットシートで形成されている。このため、模型８１０〜８５０はレイアウト台紙８６０に着脱自在に装着される。
【００５０】
上述のような構成において、本実施の形態の陳列シミュレータ８００ａおよび商品陳列システム１０００の使用方法を以下に説明する。まず、本実施の形態の商品陳列システム１０００では、四種類のフレームユニット３００、四種類のトレーユニット２００、二種類のマガジンユニット１００、等を所望により自在に組み合せることができる。
【００５１】
このため、本実施の形態の商品陳列システム１０００は、設置する空間に対応した外形とすることができ、空間を有効に利用することができる。特に、タバコパックＴを三列に保持する幅狭のフレームユニット３００と五列に保持する幅広のフレームユニット３００とがあるので、設置スペースの左右幅に良好に対応することができる。
【００５２】
さらに、タバコパックＴを三行に保持する背高のフレームユニット３００と二行に保持する背低のフレームユニット３００とがあるので、設置スペースの上下高にも良好に対応することができる。
【００５３】
ただし、商品陳列システム１０００は、上述のように設置の自由度が極端に高いため、その構成を詳細に検討することが好ましい。そこで、商品陳列システム１０００が店舗に導入されるとき、事前に陳列シミュレータ８００ａが提供される。
【００５４】
すると、店舗の作業者は、図１３に示すように、陳列シミュレータ８００ａのレイアウト台紙８６０に模型８１０〜８４０をレイアウトすることにより、実際に店舗に導入する商品陳列システム１０００の各種ユニット１００〜５００等の組み合わせを検討することができる。
【００５５】
特に、商品陳列システム１０００では、フレームユニット３００やトレーユニット２００にキャンペーンパックＰの簡易什器Ｆなどを直接に載置することもできる。また、メッシュユニット４５０などを利用することもできる。
【００５６】
しかし、このような複数種類の使用状態の図柄が表記されているユニット模型８１０ｅ〜８１０ｈも陳列シミュレータ８００ａに用意されている。このため、実際に構築する商品陳列システム１０００のイメージを良好に確認することができる。
【００５７】
さらに、この陳列シミュレータ８００ａでは、統一の縮尺で人間模型８５０もある。このため、構築する商品陳列システム１０００と人間との相対関係も確認することができる。
【００５８】
特に、人間模型８５０は、上肢部品８５２が回動自在に形成されている。このため、構築する商品陳列システム１０００の上下高が過剰でないかなども確認することができる。
【００５９】
しかも、人間模型８５０は、一対の上肢部品８５２を有する。このため、人間模型８５０の左右の上肢部品８５２を水平に位置させることなどにより、構築する商品陳列システム１０００の左右幅が適切かなども確認することができる。
【００６０】
さらに、陳列シミュレータ８００ａには、カウンタ模型８２０やストッカ模型８３０もある。このため、カウンタ上に商品陳列システム１０００を設置した状態、ストッカユニット４００を利用して商品陳列システム１０００を構築した状態、も確認することができる。
【００６１】
また、陳列シミュレータ８００ａは、磁性シートからなるレイアウト台紙８６０にマグネットシートからなる模型８１０〜８５０を着脱自在に装着することができる。このため、レイアウト台紙８６０に模型８１０〜８４０をレイアウトする作業を簡単かつ確実に実行することができる。
【００６２】
さらに、店舗でレイアウト台紙８６０に各種模型８１０〜８３０がレイアウトされた陳列シミュレータ８００ａを商品陳列システム１０００のメーカが回収し、そのレイアウトに対応して各種ユニット１００〜５００等をメーカが店舗に提供するようなこともできる。
【００６３】
なお、本発明は本実施の形態に限定されるものではなく、その要旨を逸脱しない範囲で各種の変形を許容する。例えば、上記形態では商品陳列システム１０００が本体ユニットとしてフレームユニット３００を有し、これに対応して陳列シミュレータ８００ａが形成されていることを例示した。
【００６４】
しかし、商品陳列システム１０００が、本体ユニットとしてウォールユニット５００を有してもよい。その場合、図１４に示すように、フレームユニット３００を利用することなくウォールユニット５００を利用して商品陳列システム１０００を構築することもできる。
【００６５】
そのウォールユニット５００としては、図１５に示すように、ベースウォール５００ａとパネルウォール５００ｂとがある。パネルウォール５００ｂは、複数を上下方向に連結することができ、ベースウォール５００ａの上端に連結することもできる。
【００６６】
そこで、所望の上下高のウォールユニット５００を形成することができる。そして、このようなウォールユニット５００にトレーアタッチメント６００でトレーユニット２００を装着することができる。
【００６７】
商品陳列システム１０００は、複数のウォールユニット５００を上下方向に連結して所望の上下高とすることができる。また、そのウォールユニット５００を左右方向に配列して所望の左右幅とすることができる。
【００６８】
そして、上述のように上下左右に配列したウォールユニット５００の前面の所望の位置にトレーアタッチメント６００を装着し、そのトレーアタッチメント６００にトレーユニット２００を保持させることができる。そのトレーユニット２００にタバコカートンＫを直接に収容することもでき、マガジンユニット１００でタバコパックＴを収容することもできる。
【００６９】
さらに、図１４に示すように、上述のように上下左右に配列したウォールユニット５００を上下左右に配列したストッカユニット４００の上面に設置することもできる。また、ウォールユニット５００で構築したシステムとフレームユニット３００で構築したシステムとを並設して商品陳列システム１０００とすることもできる(図示せず)。
【００７０】
そして、図１６および図１７に示すように、上述のウォールユニット５００の前面形状を前述の縮尺で模した平板状のユニット模型８７０を有する陳列シミュレータ８００ｂも、同様に形成することができる。
【００７１】
なお、ウォールユニット５００でも前面形状の外形が同一で使用状態が相違する場合があるので、図示するように、使用状態に対応した複数種類のユニット模型８７０を用意しておくことができる。
【００７２】
また、上記形態では人間模型８５０に一対の上肢部品８５２が装着されていることを例示した。しかし、図示するように、人間模型８５０の上肢部品を一本としておいてもよい。この場合でも、構築する商品陳列システム１０００の上下高が過剰でないかなどを確認することができる。
【００７３】
また、最初から上肢部品が上方に位置する形状に人間模型を形成しておいてもよい(図示せず)。さらに、上肢部品が下方に位置する形状、左右に水平に位置する形状、上方に位置する形状、等の複数種類の人間模型を用意しておいてもよい(図示せず)。
【図面の簡単な説明】
【００７４】
【図１】本発明の実施の形態の陳列シミュレータの未使用の状態を示す平面図である。
【図２】四種類のユニット模型を示す平面図である。
【図３】カウンタ模型を示す平面図である。
【図４】ストッカ模型を示す平面図である。
【図５】テーブル模型を示す平面図である。
【図６】さらに二種類のユニット模型を示す平面図である。
【図７】さらに二種類のユニット模型を示す平面図である。
【図８】人間模型を示す平面図である。
【図９】商品陳列システムの外観を示す斜視図である。
【図１０】商品陳列システムの要部の構造を示す分解斜視図である。
【図１１】ストッカユニットを使用した商品陳列システムの外観を示す斜視図である。
【図１２】商品陳列システムのメッシュユニットを示す分解斜視図である。
【図１３】陳列シミュレータの使用状態を示す平面図である。
【図１４】一変形例の商品陳列システムの外観を示す斜視図である。
【図１５】商品陳列システムの要部の構造を示す分解斜視図である。
【図１６】一変形例の陳列シミュレータを示す平面図である。
【図１７】一変形例の陳列シミュレータの使用状態を示す平面図である。
【符号の説明】
【００７５】
１００    マガジンユニット
２００    トレーユニット
３００    フレームユニット
３１０    本体フレーム
３１１    面ファスナ
３１４    凸部材
３２０    支持フレーム
４００    ストッカユニット
４１０    テーブルユニット
４１１    ユニットボックス
４１２    テーブル部材
４５０    メッシュユニット
５００    ウォールユニット
５００ａ    ベースウォール
５００ｂ    パネルウォール
６００    トレーアタッチメント
８００    陳列シミュレータ
８１０    ユニット模型
８２０    カウンタ模型
８３０    ストッカ模型
８４０    テーブル模型
８５０    人間模型
８５１    本体部品
８５２    上肢部品
８６０    レイアウト台紙
８７０    ユニット模型
１０００    商品陳列システム
Ｆ    簡易什器
Ｋ    タバコカートン
Ｐ    キャンペーンパック
Ｔ    タバコパック
【図１】
2008080067.tif 000003
【図２】
2008080067.tif 000004
【図３】
2008080067.tif 000005
【図４】
2008080067.tif 000006
【図５】
2008080067.tif 000007
【図６】
2008080067.tif 000008
【図７】
2008080067.tif 000009
【図８】
2008080067.tif 000010
【図９】
2008080067.tif 000011
【図１０】
2008080067.tif 000012
【図１１】
2008080067.tif 000013
【図１２】
2008080067.tif 000014
【図１３】
2008080067.tif 000015
【図１４】
2008080067.tif 000016
【図１５】
2008080067.tif 000017
【図１６】
2008080067.tif 000018
【図１７】
2008080067.tif 000019